(57)【要約】【課題】横管内のエアーが完全に抜けるように温水を注入できる温水端末器のエアー抜き構造を提供する。【解決手段】左右の両側に立設した縦管１と両側の前記縦管１間に水平に架設して前記縦管１に両端を連通させた複数本の横管２とで構成され、内部に温水が循環することにより放熱する温水端末器である。これにおいて、前記複数本の横管２のうち少なくとも１つの横管２に対して横管２の長手方向の一方方向に水を噴出させる手段を設ける。【選択図】        図１
2004177055.tif 000002
【特許請求の範囲】
【請求項１】
左右の両側に立設した縦管と両側の前記縦管間に水平に架設して前記縦管に両端を連通させた複数本の横管とで構成され、内部に温水が循環することにより放熱する温水端末器において、前記複数本の横管のうち上に位置する横管に対して横管の長手方向の一方方向に水を噴出させる手段を設けたことを特徴とする温水端末器のエアー抜き構造。
【請求項２】
左右の両側に立設した縦管と両側の前記縦管間に水平に架設して前記縦管に両端を連通させた複数本の横管とで構成され、内部に温水が循環することにより放熱する温水端末器において、前記複数本の横管のうち下に位置する横管に対して横管の長手方向の一方方向に水を噴出させる手段を設けたことを特徴とする温水端末器のエアー抜き構造。
【請求項３】
左右の両側に立設した縦管と両側の前記縦管間に水平に架設して前記縦管に両端を連通させた複数本の横管とで構成され、内部に温水が循環することにより放熱する温水端末器において、前記複数本の横管のうち少なくとも１つの横管にこの横管の一端から他端に向けて温水が流動するように温水を噴出して注水する注水口を一方の縦管に設け、縦管の上部から内部のエアーを抜くようにしたことを特徴とする温水端末器のエアー抜き構造。
【請求項４】
前記複数本の横管うち一部の複数本の横管に対応する位置に前記注水口を設けたことを特徴とする請求項３記載の温水端末器のエアー抜き構造。
【請求項５】
最上部に位置する前記横管から１つ置きの前記横管に対応する位置に前記注水口を設け、注水口を設ける側と反対の他方の縦管の上部からエアーを抜くエアー抜き手段を設けたことを特徴とする請求項３または請求項４記載の温水端末器のエアー抜き構造。
【請求項６】
前記一方の縦管内に注水管を挿通し、この注水管に前記注水口を設けたことを特徴とする請求項３乃至請求項５のいずれかに記載の温水端末器のエアー抜き構造。
【請求項７】
最上部に位置する前記横管に対応する注水口は上下に複数設けてあることを特徴とする請求項５記載の温水端末器のエアー抜き構造。
【請求項８】
前記他方の縦管の下端に温水出口を設け、前記他方の縦管ののエアー溜まりとなる位置の上部から温水出口に至るようにエアー抜き管を配設すると共に前記エアー溜まりとなる位置のエアーを前記エアー抜き管を介して外部に抜くためにエアーを温水出口側に導くエアー導出手段を設けて前記エアー抜き手段を構成したことを特徴とする請求項５に記載の温水端末器のエアー抜き構造。
【発明の詳細な説明】
【０００１】
【発明の属する技術分野】
本発明は、温水を循環させて暖房したり、タオル等の被乾燥物を乾燥したりする温水端末器において、内部にエアー溜まりができないようにエアーを抜くエアー抜き構造に関するものである。
【０００２】
【従来の技術】
従来、温水端末器Ａの一例としてのタオル乾燥器Ａ１は図１２に示すように構成されていた。タオル乾燥器Ａ１は左右の両側の縦管１と両側の縦管１間に水平に架設した複数本の横管２とで構成されており、横管２の両端を両側の縦管１に連結して連通させてある（例えば、特許文献１参照）。一方の縦管１の下端には温水入口３を設けてあり、他方の縦管１の下端には温水出口４を設けてある。縦管１の上端は袋ナットのような蓋５にて閉塞してあるが、温水出口４がある縦管１の上端の蓋５の部分にはエアー抜きバルブ６を設けてある。
【０００３】
【特許文献１】
特開２００２−１６２０５０号公報
【０００４】
この温水端末器Ａとしてのタオル乾燥器Ａ１に温水を供給する熱源機Ｂは屋外等に設置され、熱源機Ｂは熱交換器７、貯水タンク８、循環ポンプ９等で構成されている。貯水タンク８には給水管１０を連結してあり、給水管１０には給水バルブ１１や補給水電磁弁１２を配置してある。貯水タンク８には水位センサーのような水位検出手段を設けてあり、水位に応じて補給水電磁弁１２を開閉して貯水タンク８内を一定の水位に保つことができるようになっている。貯水タンク８の上部は大気開放口１３で大気に開放してある。この貯水タンク８は、温水往路管１４を通してタオル乾燥機Ａ１の温水入口３に連通させてあり、タオル乾燥機Ａ１の温水出口４が温水復路管１５を通して、上記貯水タンク８に連通させてある。温水往路管１４には循環ポンプ９と熱交換器７と熱動弁１６を順に配置してある。
【０００５】
図１２のように施工した状態で図１３に示すように自動試運転するが、自動試運転時には給水バルブ１１が開になり、水が給水管１０から貯水タンク８に供給される。給水タンク８の水は循環ポンプ９により熱交換器７に入り、熱交換器７で加熱された温水が熱動弁１６を通り、タオル乾燥器Ａ１の温水入口３に入り、タオル乾燥器Ａ１の温水通路を通り、温水出口４から貯水タンク８に戻る。このようなサイクルで自動試運転するが、タオル乾燥器Ａ１内にあった空気は完全には抜けないのでタオル乾燥器Ａ１の上部にエアー溜まりができる。このエアー溜まりができると温度分布が均一にならないため、このエアーを外部に抜く必要があるが、このとき図１４に示すようにエアー抜きバルブ６を開放し、エアーを抜き、その後、エアー抜きバルブ６を閉塞する。エアー抜き作業を行い貯水タンク８の水位変動が無ければ水張りが完了し、熱交換器７による加熱によりタオル乾燥器Ａ１の温度上昇があれば自動試運転が完了する。自動試運転を終了して通常の使用状態にしたときは、給水タンク８内の水が循環ポンプ９により熱交換器７に入り、熱交換器７で加熱された温水が熱動弁１６を通り、タオル乾燥器Ａ１の温水入口３に入り、タオル乾燥器Ａ１の温水通路を通り、温水出口４から貯水タンク８に戻るようなサイクルで温水が循環し、タオル乾燥器Ａ１に掛けたタオルが乾燥される。
【０００６】
【発明が解決しようとする課題】
ところで、温水端末器Ａとしてのタオル乾燥器Ａ１の上部に溜まったエアーはエアー抜きバルブ６を開くことにより抜くことができるが、タオル乾燥器Ａ１に温水を注入するとき横管２内の中央部にエアーが溜まって抜けなくなるという問題がある。つまり温水入口３から温水を注水したとき、図１５（ａ）に示すように徐々に水位が上がるが、両側の縦管１の水位が同じレベルで上に上がるために横管２に温水が入るとき左右の両端から同時に流入するため図１５（ｂ）に示すように横管２の左右方向の中央部のエアーが抜けずに残ってエアー溜まりが生じる。符号Ｚはこのエアーが溜まって残った部分である。このために内部のエアーが完全が抜けないで運転されて温度分布を均一にできないという問題がある。
【０００７】
本発明は叙述の点に鑑みてなされたものであって、横管内のエアーが完全に抜けるように温水を注入できる温水端末器のエアー抜き構造を提供することを課題とする。
【０００８】
【課題を解決するための手段】
上記課題を解決するための本発明の温水端末器のエアー抜き構造は、左右の両側に立設した縦管と両側の前記縦管間に水平に架設して前記縦管に両端を連通させた複数本の横管とで構成され、内部に温水が循環することにより放熱する温水端末器において、前記複数本の横管のうち上に位置する横管に対して横管の長手方向の一方方向に水を噴出させる手段を設けたことを特徴とする。
【０００９】
上記の構成により、上に位置する横管に対して横管の長手方向の一方方向に水を噴出すると、上に位置する横管ではこの水の噴出方向に一方通行で水が流れ、水の噴出方向側の縦管内に積極的に落ちるように流れて上記縦管内の水位が高くなる傾向となることにより、下に位置する横管では水位の高くなった方の縦管からこの縦管と反対の縦管に向けて水が一方通行で流れ、夫々の横管の水の一方通行の流れにて横管内のエアーが抜けるように水が充填される。
【００１０】
また左右の両側に立設した縦管と両側の前記縦管間に水平に架設して前記縦管に両端を連通させた複数本の横管とで構成され、内部に温水が循環することにより放熱する温水端末器において、前記複数本の横管のうち下に位置する横管に対して横管の長手方向の一方方向に水を噴出させる手段を設けたことを特徴とすることも好ましい。
【００１１】
上記の構成により、下に位置する横管に対して横管の長手方向に一方方向に水を噴出すると、下に位置する横管ではこの水の噴出方向に一方通行で水が流れ、水の噴出方向側の縦管内で水が湧き上がるように流れて上記縦管の水位が高くなる傾向となることにより、上に位置する横管では水位の高くなった方の縦管からこの縦管と反対の縦管に向けて水が一方通行で流れ、夫々の横管の水の一方通行の流れにて横管内のエアーが抜けるように水が充填される。
【００１２】
また左右の両側に立設した縦管と両側の前記縦管間に水平に架設して前記縦管に両端を連通させた複数本の横管とで構成され、内部に温水が循環することにより放熱する温水端末器において、前記複数本の横管のうち少なくとも１つの横管にこの横管の一端から他端に向けて温水が流動するように温水を噴出して注水する注水口を一方の縦管に設け、縦管の上部から内部のエアーを抜くようにしたことを特徴とすることも好ましい。
【００１３】
上記のように構成したことにより、一方の縦管の注水口から温水を噴射して注水したときこの注水口に対応する横管ではこの噴射方向に温水が一方通行で流れ、他方の縦管の水位が上記温水の噴射による注水にて一方の縦管より高くなる傾向となることにより、注水口と対応しない横管では他方の縦管から一方の縦管に一方通行で温水が流れ、上記夫々の一方通行の温水の流れで横管内のエアーが縦管にスムーズに抜けるように温水が充填され、縦管の上部からエアーを外部に抜くことできる。これにより横管内にエアーが残らないようにエアーを完全に抜くことができる。
【００１４】
また前記複数本の横管のうち一部の複数本の横管に対応する位置に注水口を設けたことを特徴とすることも好ましい。
【００１５】
この場合、注水口と対応する複数本の横管では注水口から注水した温水がこの噴射方向に一方通行で流れ、注水口と対応しない横管では温水の噴射方向と逆方向に温水が一方通行で流れ、横管にエアーが残らないように温水を充填できる。また複数本の横管に同時に注水して温水の充填時間を短縮できる。
【００１６】
また最上部に位置する横管から１つ置きの横管に対応する位置に注水口を設け、注水口を設ける側と反対の他方の縦管の上部からエアーを抜くエアー抜き手段を設けたことを特徴とすることも好ましい。
【００１７】
この場合、最上部から１つ置きの横管では注水口から注水した温水がこの噴射方向に一方通行で流れ、注水口と対応しない１つ置きの横管では温水の噴射方向と逆方向に温水が一方通行で流れ、横管にエアーが残らないように温水を充填でき、しかも他方の縦管の上部から内部にエアーが一切残らないように抜くことができる。また複数の横管に同時に注水して温水の充填時間を短縮できる。さらに下から上に向けて順次横管内の温水の流れが逆になるように温水を充填できて温水を一層横管にエアが残らないようにスムーズに充填できる。
【００１８】
また一方の縦管内に注水管を挿通し、この注水管に前記注水口を設けたことを特徴とすることも好ましい。
【００１９】
この場合、縦管内に挿通した注水管の注水口から注水できる。これにより注水管が邪魔になったり、外観が悪くなったりしない。
【００２０】
また最上部に位置する横管に対応する注水口は上下に複数設けてあることを特徴とすることも好ましい。
【００２１】
最上部に位置する横管は最もエアーが溜まり易い（エアー量が多い）が、上記のように注入口が上下に複数個あるとエアーが溜まらないように温水を注入して上記不都合を防止できる。
【００２２】
また前記他方の縦管の下端に温水出口を設け、前記他方の縦管のエアー溜まりとなる位置の上部から温水出口に至るようにエアー抜き管を配設すると共に前記エアー溜まりとなる位置のエアーを前記エアー抜き管を介して外部に抜くためにエアーを温水出口側に導くエアー導出手段を設けて前記エアー抜き手段を構成したことを特徴とすることも好ましい。
【００２３】
この場合、他方の縦管１の上部のエアー溜まりとなる位置のエアーをエアー抜き管を介して温水出口に導いて温水出口から外部に抜くことができる。これにより従来のようにエアー抜きバルブの開閉の操作が必要なく、エアー抜き作業が容易にできる。
【００２４】
【発明の実施の形態】
本例の場合も、温水端末器Ａは従来例で述べたようにタオル乾燥器Ａ１である。図１や図３に示すようにタオル乾燥器Ａ１は両側の縦管１と両側の縦管１間に水平に架設した複数本の横管２とで構成されており、横管２の両端を両側の縦管１に連結して連通させてある。両側の縦管１のうち一方の縦管１の下端には入口部３′を設けてあり、他方の縦管１の下端には温水出口４を設けてあり、縦管１の上端は袋ナットのような蓋５にて閉塞してある。下端に入口部３′を設けた方の縦管１の上端の蓋５の下には必要に応じて充填材２４を充填してあり、この充填材２４にてこの縦管１の上端にエアーが溜まらないようにしてある。
【００２５】
下端に入口部３′を設けた縦管１内には中空パイプ状の注水管２０を上下方向に亙るように挿通してあり、この注水管２０には図４に示すように温水を噴出して注水する注水口１８を上下に所定の間隔を隔てて穿孔してある。注水管２０は入口部３′から挿通してあり、入口部３′の部分で固定してあると共に入口部３′を防水的に密封してある。注水口１８は注水口１８から温水が横管２内に噴射される向きに向けて穿孔してある。また本例の場合、複数の横管２のうち、最上部の横管２とその横管２から１つ置きの横管２に対応する位置で注水口１８を注水管２０に穿孔してある。かかる注水口１８は複数の横管２のうち少なくとも１つの横管２に対応する位置に設けるだけでもよい。
【００２６】
温水出口４を設けた縦管１内には縦管１の上端から縦管１の下端の温水出口４に至るようにエアー抜き管２２を挿通してある。このエアー抜き管２２の上端は蓋５の下面と僅かに間隙を隔てる位置まで設けてある。縦管１内には図５に示すように温水出口４の位置で管路を絞るオリフィス２５を設けてあり、オリフィス２５の下流側に減圧部２６を形成してある。上記エアー抜き管２２はオリフィス２５の構成壁部に貫通しており、エアー抜き管２２の下端が減圧部２６に開放されている。本例の場合、オリフィス２５の下流側の減圧部２６がエアー抜き管２２を介してエアーを導くエアー導出手段となっており、エアー抜き管２２とエアー導出手段とでエアー抜き手段１９が構成されている。
【００２７】
この温水端末器Ａとしてのタオル乾燥器Ａ１に温水を供給する熱源機Ｂは屋外等に設置され、図１に示すように熱源機Ｂは従来例と同様に熱交換器７、貯水タンク８、循環ポンプ９等で構成されている。貯水タンク８には給水管１０を連結してあり、給水管１０には給水バルブ１１や補給水電磁弁１２を配置してある。貯水タンク８には水位センサーのような水位検出手段を設けてあり、水位に応じて補給水電磁弁を開閉して貯水タンク８内を一定の水位に保つことができるようになっている。貯水タンク８の上部は大気開放口１３で大気に開放してある。
タオル乾燥器Ａ１の入口部３′の注水管２０の下端と貯水タンク８とは温水往路管１４にて連通させてあり、タオル乾燥器Ａ１の温水出口４と貯水タンク８とは温水復路管１５にて連通させてある。温水往路管１４には循環ポンプ９と熱交換器７と熱動弁１６を順に配置してある。尚、上記の熱源機Ｂはタオル乾燥器Ａ１だけに接続してあるように図示してあるが、実際は床暖房装置、パネルヒータ等の温水端末器Ａにも同時に接続してある。
【００２８】
上記のように温水端末器Ａとしてのタオル乾燥器Ａ１が施工された後、図２に示すように自動試運転がされる。自動試運転時には給水バルブ１１が開になり、水が給水管１０から貯水タンク８に供給される。給水タンク８の水は循環ポンプ９により熱交換器７に入り、熱交換器７で加熱された温水が熱動弁１６を通り、注入管２０に入って注水口１８から噴射され、タオル乾燥器Ａ１内の縦管１や横管２よりなる温水通路を通り、温水出口４から貯水タンク８に戻るように循環する。
【００２９】
この試運転の当初にはタオル乾燥器Ａ１内に温水が充填されるが、このとき図６（ａ）に示すように注水口１８から温水が横管２内に矢印ａのように噴射するように注水される。注水口１８から温水が噴射される横管２ではこの噴射方向に横管２の一端から他端に向けて矢印ｂのように一方通行に流れ、横管２を通った温水は矢印ｃのように注水口１８と反対の縦管１を下方に落下する。一方、注水口１８からの注水にて一対の縦管１の水位が徐々に上昇するが、横管２を通った温水が注水口１８と反対の縦管１の方に落ちるため、この縦管１の方の水位が注水口１８側の縦管１の水位より高くなる傾向となり、この水位差によって注水口１８と対応しない横管２では矢印ｂ方向とは逆の矢印ｄの方向に温水が流れる。これにより図６（ｂ）に示すように最上部から１つ置きの横管２では矢印ｂ方向の一方通行で温水が流れ、残りの１つ置きの横管２では上記矢印ｂ方向と逆に矢印ｄ方向に温水が流れ、これにより各横管２では一方通行で温水が流れて横管２に温水が充填され、横管２内にエアーが残ることなく縦管１にエアーが抜ける。
【００３０】
上記ように横管２内にエアーが残らないように横管２に温水を充填するとき、タオル乾燥器Ａ１内にあったエアーが次のように外に抜かれる。温水が循環するとき、オリフィス２５を通って温水出口４から出て行くが、オリフィス２５を通過するとき温水が絞られて流れ、オリフィス２５の上流側が高圧となると共にオリフィス２５の下流側が低圧となり、オリフィス２５の下流側に減圧部２６が形成される。一方、タオル乾燥器Ａ１内のエアーは圧縮されて高圧となり、減圧部２６の差圧にてエアー抜き管２２をエアーが流れる。つまり、減圧部２６からエアー抜き管２２を介してエアーを吸い込むようにエアーが減圧部２６に導かれる。減圧部２６に導かれたエアーが温水出口４から出る温水の流れにて温水出口４から出て行き、温水復路管１５、貯水タンク８を通り、大気開放口１３から外部に排出される。このようにしてエアー溜まりができないようにエアーが抜かれた後、貯水タンク８内の水位変動がなければ図２に示すように水張りを完了し、熱交換器７による加熱により温水端末器Ａとしてのタオル乾燥器Ａ１に温度上昇があれば自動試運転は完了する。
【００３１】
自動試運転を終了して通常の使用状態にしたときは、給水タンク８の水が循環ポンプ９により熱交換器７に入り、熱交換器７で加熱された温水が熱動弁１６を通り、タオル乾燥器Ａ１の注水管２０に入り、タオル乾燥器Ａ１の温水通路を通り、温水出口４から貯水タンク８に戻るようなサイクルで温水が循環し、タオル乾燥器Ａ１の横管２にかけたタオルが乾燥される。この通常の使用状態でも循環する温水がオリフィス２５を通り、たとえ、タオル乾燥機Ａ１の上部にエアーが溜まる事態が生じてもエアーが自動的に抜かれる。
【００３２】
なお、上記の例では、温水がオリフィス２５を通ることで減圧部２６を形成し、この減圧部２６の減圧にてエアー抜き管２２からエアーを自動的に抜くものについて述べたが、従来のようにエアー抜きバルブ６でエアーを手動で抜くものでも本発明は実施できる。また上記例では縦管１内に注水管２０を挿通することで注水口１８から注水するものについて述べたが、縦管１の外から直接管を導入して横管２に臨む注水口１８を形成してもよい。
【００３３】
また最上部の横管２に臨む注水口１８を注水管２０に設ける場合、図７（ａ）（ｂ）に示すように上下に複数個の注水口１８を並べて設けることが望ましい。注水口１８を設ける側の縦管１の上端部にはエアー溜まり部ができやすく、最上部の横管２に臨む注水口１８が図７（ｃ）のように１個の場合、符号ｆに示すエアー溜まりのエアーが注水口１８から噴出する温水の流れにて他方の縦管１の方に移動しにくいが、上記のように最上部の横管２に対応する注水口１８を上下に複数並べて設けてあると、符号ｆに示すエアー溜まりのエアーが注水口１８から噴出する温水の流れにて他方の縦管１の方に移動してエアーが抜ける。
【００３４】
また上記の注水口１８を有する注水管２０を注水ユニットとして着脱自在に縦管１に取り付けられるようにしたり、エアー抜き管２２やオリフィス２５等をエアー抜きユニットとして縦管１に着脱自在に取り付けられるようにしてあると、従来のタオル乾燥器Ａ１に注水ユニットやエアー抜きユニットを取り付けることにより本発明の構造のタオル乾燥器Ａ１に改良することができる。
【００３５】
上記の例では温水端末器Ａとしてのタオル乾燥器Ａ１の縦管１の下端に入口部３′や温水出口４を設けた例について述べたが、この入口部３′や温水出口４を縦管１の上端に設けても構わない。以下その例について述べる。
【００３６】
図８乃至図１０に示すように一方の縦管１の上端部に設けた入口部３′には温水往路管１４を連通させてあり、他方の縦管１の上端部に設けた温水出口４には温水復路管１５を連通させてある。一方の縦管１には入口部３′から注水管２０を挿入してあり、注水管２０に温水往路管１４を連通させてある。図８では下部の１つの横管２に対応する位置に注水口１８を設けてあり、図９では下部の複数の横管２に対応する位置に注水口１８を設けてあり、図１０では１つおきの横管に対応するように注水口１８を設けてある。
【００３７】
温水端末器Ａとしてのタオル乾燥器Ａ１内に温水が充填されるが、このとき注水口１８から温水が横管２内に図１１の矢印ａのように噴射するように注水される。注水口１８から温水が噴射される横管２ではこの噴射方向に横管２の一端から他端に向けて矢印ｂのように一方通行に流れ、横管２を通った温水は注水口１８と反対の縦管１に流入する。一方、注水口１８から注水にて一対の縦管１の水位が徐々に上昇するが、横管２を通った温水が注水口１８と反対の縦管１の方に流入するため、この縦管１の方の水位が注水口１８側の縦管１の水位より高くなる傾向となり、この水位差によって注水口１８と対応しない横管２では矢印ｂ方向とは逆の矢印ｄの方向に温水が流れる。これにより各横管２では一方通行で温水が流れて横管２に温水が充填され、横管２内にエアーが残ることなく縦管１にエアーが抜かれる。縦管１内に抜かれたエアーは水位の上昇により縦管１の上端の温水出口４から出て行き外部に抜かれる。この際、最上部の横管２に温水を噴出するようにしておくことで、注水口１８がある方の縦管１の上部にエアーが溜まる不都合が防止される。最上部の横管２に温水を噴出しないときは、入口部３′に空気抜き弁を設けたりして注水口１８がある方の縦管１の上部にエアーが溜まることがないようにする。
この際、最上部の横管２のエアーが抜けるとき、注水口１８がある方の縦管１の上部に溜まって抜けないおそれがあるが、この空気は入口部３′に空気抜き弁を設けたりして抜くことができる。
【００３８】
また上記例でも縦管１内に注水管２０を挿通することで注水口１８から注水するものについて述べたが、縦管１の外から直接管を導入して横管２に臨む注水口１８を形成してもよい。
【００３９】
なお、本発明の温水端末器Ａの縦管１や横管２の断面形状は円形であっても、正方形であっても、長方形であっても、その他の形状であってもよい。
【００４０】
なお、また上記の実施の形態の例では温水端末器Ａとしてタオル乾燥器Ａ１の例について述べたが、暖房用ラジエータ、ファンコイルユニット等でも同様に実施できる。
【００４１】
【発明の効果】
本発明の請求項１の発明は、複数本の横管のうち上に位置する横管に対して横管の長手方向の一方方向に水を噴出させる手段を設けたので、上に位置する横管に対して横管の長手方向の一方方向に水を噴出すると、上に位置する横管ではこの水の噴出方向に一方通行で水が流れ、水の噴出方向側の縦管内に積極的に落ちるように流れて上記縦管内の水位が高くなる傾向となることにより、下に位置する横管では水位の高くなった方の縦管からこの縦管と反対の縦管に向けて水が一方通行で流れ、夫々の横管の水の一方通行の流れにて横管内のエアーが抜けるように水が充填されるものである。
【００４２】
また本発明の請求項２の発明は、複数本の横管のうち下に位置する横管に対して横管の長手方向の一方方向に水を噴出させる手段を設けたので、下に位置する横管に対して横管の長手方向に一方方向に水を噴出すると、下に位置する横管ではこの水の噴出方向に一方通行で水が流れ、水の噴出方向側の縦管内で水が湧き上がるように流れて上記縦管の水位が高くなる傾向となることにより、上に位置する横管では水位の高くなった方の縦管からこの縦管と反対の縦管に向けて水が一方通行で流れ、夫々の横管の水の一方通行の流れにて横管内のエアーが抜けるように水が充填されるものである。
【００４３】
また本発明の請求項３の発明は、複数本の横管のうち少なくとも１つの横管にこの横管の一端から他端に向けて温水が流動するように温水を噴出して注水する注水口を一方の縦管に設け、縦管の上部から内部のエアーを抜くようにしたので、一方の縦管の注水口から温水を噴射して注水したときこの注水口に対応する横管ではこの噴射方向に温水が一方通行で流れ、他方の縦管の水位が上記温水の噴射による注水にて一方の縦管より高くなる傾向となることにより注水口と対応しない横管では他方の縦管から一方の縦管に一方通行で温水が流れるものであって、上記夫々の一方通行の温水の流れで横管内のエアーが縦管にスムーズに抜けるように温水が充填され、縦管の上部から外部にエアーを抜くことできるものであり、横管内にエアーが残らないようにエアーを完全に抜くことができるものである。
【００４４】
また本発明の請求項４の発明は、請求項３において、前記複数本の横管のうち一部の複数本の横管に対応する位置に注水口を設けたので、注水口と対応する複数本の横管では注水口から注水した温水がこの噴射方向に一方通行で流れ、注水口と対応しない横管では温水の噴射方向と逆方向に温水が一方通行で流れ、横管にエアーが残らないように温水を充填できものであり、しかも複数本の横管に同時に注水して温水の充填時間を短縮できるものである。
【００４５】
また本発明の請求項５の発明は、請求項３または請求項４において、最上部に位置する横管から１つ置きの横管に対応する位置に注水口を設け、注水口を設ける側と反対の他方の縦管の上部からエアーを抜くエアー抜き手段を設けたので、最上部から１つ置きの横管では注水口から注水した温水がこの噴射方向に一方通行で流れ、注水口と対応しない１つ置きの横管では温水の噴射方向と逆方向に温水が一方通行で流れ、横管にエアーが残らないように温水を充填でき、しかも他方の縦管の上部から内部にエアーが一切残らないように抜くことができるものであり、また複数の横管に同時に注水して温水の充填時間を短縮できるものであり、さらに下から上に向けて順次横管内の温水の流れが逆になるように温水を充填できて温水を一層横管にエアが残らないようにスムーズに充填できるものである。
【００４６】
また本発明の請求項６の発明は、請求項３乃至請求項５のいずれかにおいて、一方の縦管内に注水管を挿通し、この注水管に注水口を設けたので、縦管内に挿通した注水管の注水口から注水できるものであり、これにより注水管が邪魔になったり、外観が悪くなったりしないものである。
【００４７】
また本発明の請求項７の発明は、請求項５において、最上部に位置する横管に対応する注水口は上下に複数設けてあるので、上下の複数の注入口から温水を注入することにより最もエアーが溜まり易い最上部の横管に温水を効果的に注入してエアーが溜まるのを確実に防止できるものである。
【００４８】
また本発明の請求項８の発明は、請求項５において、他方の縦管の下端に温水出口を設け、他方の縦管のエアー溜まりとなる位置の上部から温水出口に至るようにエアー抜き管を配設すると共にエアー溜まりとなる位置のエアーをエアー抜き管を介して外部に抜くためにエアーを温水出口側に導くエアー導出手段を設けて前記エアー抜き手段を構成したので、他方の縦管の上部のエアー溜まりとなる位置のエアーをエアー抜き管を介して温水出口に導いて温水出口から外部に抜くことができるものであって、従来のようにエアー抜きバルブの開閉の操作が必要なく、エアー抜き作業が容易にできるものである。
【図面の簡単な説明】
【図１】本発明の実施の形態の一例の施工した状態を示す断面図である。
【図２】同上の自動試運転した状態の断面図である。
【図３】同上の温水端末器を示す断面図である。
【図４】同上の注水管の斜視図である。
【図５】（ａ）は図３のＸ部拡大断面図、（ｂ）は（ａ）の要部拡大断面図である。
【図６】（ａ）（ｂ）は同上の注水するときの動作を説明する断面図である。
【図７】（ａ）（ｂ）同上の他の例の要部の断面図、（ｃ）は動作を説明するための断面図である。
【図８】同上の他の例の温水端末器を示す一部切欠断面図である。
【図９】同上の他の例の温水端末器を示す一部切欠断面図である。
【図１０】同上の他の例の温水端末器を示す一部切欠断面図である。
【図１１】同上の温水を充填する動作を説明する断面図である。
【図１２】従来例の施工した状態の断面図である。
【図１３】同上の自動試運転した状態の断面図である。
【図１４】同上のエアー抜き作業時の状態の断面図である。
【図１５】（ａ）（ｂ）は従来例の問題を説明する断面図である。
【符号の説明】
Ａ  温水端末器
Ａ１  タオル乾燥器
１  縦管
２  横管
４  温水出口
１８  注水口
１９  エアー抜き手段
２０  注水管
２２  エアー抜き管
【図１】
2004177055.tif 000003
【図２】
2004177055.tif 000004
【図３】
2004177055.tif 000005
【図４】
2004177055.tif 000006
【図５】
2004177055.tif 000007
【図６】
2004177055.tif 000008
【図７】
2004177055.tif 000009
【図８】
2004177055.tif 000010
【図９】
2004177055.tif 000011
【図１０】
2004177055.tif 000012
【図１１】
2004177055.tif 000013
【図１２】
2004177055.tif 000014
【図１３】
2004177055.tif 000015
【図１４】
2004177055.tif 000016
【図１５】
2004177055.tif 000017